(57)【要約】      （修正有）【課題】腕時計本体に笛が分離不可能に取り付けられていると共に、当該笛を使用する必要が生じた際には簡単に当該笛を鳴らすことができる笛付腕時計を提供する。【解決手段】腕時計のケース２の一側に沿って長手方向に延びていて、前記長手方向に延びる一端側に口当て部７を備えている筒状の笛体６が、前記一端側に対向する他端側において回動自在に前記腕時計のケースの一側に取り付けて笛付腕時計を構成する。【選択図】図１
0003179592.tif 000002
【実用新案登録請求の範囲】
【請求項１】
腕時計のケースの一側に沿って長手方向に延びていて、前記長手方向に延びる一端側に口当て部を備えている筒状の笛体が、前記一端側に対向する他端側において回動自在に前記腕時計のケースの一側に取り付けられていることを特徴とする笛付腕時計。
【請求項２】
前記筒状の笛体の前記他端側が、前記腕時計のケースに突設されている回転支持軸に回動可能に取り付けられていることを特徴とする請求項１記載の笛付腕時計。
【請求項３】
前記筒状の笛体の外径の大きさは、前記腕時計のケースの厚みより小さく、前記筒状の笛体の前記一端側で前記口当て部の近傍に共振孔が形成されていて、前記筒状の笛体を回動させていない状態で、前記共振孔が前記腕時計の文字盤の外側近傍に位置することを特徴とする請求項１又は２記載の笛付腕時計。
【考案の詳細な説明】
【技術分野】
【０００１】
この考案は、笛が取り付けられている腕時計に関する。
【背景技術】
【０００２】
従来から笛と腕時計の組み合わせに関しては種々の提案が行われている。
【０００３】
例えば、特許文献１には腕時計のケースに笛を出し入れすることのできる取付孔が形成されていて、この取付孔に笛を挿入しておき、必要に応じて当該笛を腕時計のケースから抜き出して使用する考案が提案されている。
【０００４】
また、特許文献２には、腕時計本体の取り付け孔に連結鎖を取り付け、この連結鎖に笛を取り付けておく考案が記載されている。
【先行技術文献】
【特許文献】
【０００５】
【特許文献１】実用新案登録出願公開  昭和６１−１７６４９２号公報
【特許文献２】実用新案登録第３０６５７５７号公報
【考案の概要】
【考案が解決しようとする課題】
【０００６】
上述した特許文献１、２記載の笛付腕時計は、笛を腕時計のケースに取り付け取り外し可能であったり、連結鎖を介して笛を腕時計本体に取り付けておくものなので、実際に、笛を使用する必要が生じた際に、笛が紛失している、という事態が生じえるものであった。
【０００７】
そこで、本考案は、腕時計本体に笛が分離不可能に取り付けられていると共に、当該笛を使用する必要が生じた際には簡単に当該笛を鳴らすことができる笛付腕時計を提案することを目的にしている。すなわち、実際に笛を使用する必要が生じた際に、腕時計を腕にはめていさえすれば、必ず、笛を鳴らすことが可能な笛付腕時計を提案することを目的にしている。
【０００８】
そして、このような笛付腕時計であって、デザイン的にも優れているものを提案することを目的にしている。
【課題を解決するための手段】
【０００９】
上記課題を解決するため、以下の考案を提供する。
【００１０】
請求項１の考案は、
腕時計のケースの一側に沿って長手方向に延びていて、前記長手方向に延びる一端側に口当て部を備えている筒状の笛体が、前記一端側に対向する他端側において回動自在に前記腕時計のケースの一側に取り付けられていることを特徴とする笛付腕時計
である。
【００１１】
請求項２の考案は、
前記筒状の笛体の前記他端側が、前記腕時計のケースに突設されている回転支持軸に回動可能に取り付けられていることを特徴とする請求項１記載の笛付腕時計
である。
【００１２】
請求項３の考案は、
前記筒状の笛体の外径の大きさは、前記腕時計のケースの厚みより小さく、前記筒状の笛体の前記一端側で前記口当て部の近傍に共振孔が形成されていて、前記筒状の笛体を回動させていない状態で、前記共振孔が前記腕時計の文字盤の外側近傍に位置することを特徴とする請求項１又は２記載の笛付腕時計
である。
【考案の効果】
【００１３】
本考案によれば、腕時計本体に笛が分離不可能に取り付けられていると共に、当該笛を使用する必要が生じた際には簡単に当該笛を鳴らすことができる笛付腕時計を提供することができる。これにより、実際に笛を使用する必要が生じた際に、腕時計を腕にはめていさえすれば、必ず、笛を鳴らすことが可能な笛付腕時計を提供することができる。
【００１４】
そして、本考案によれば、このような笛付腕時計であって、デザイン的にも優れているものを提供することができる。
【図面の簡単な説明】
【００１５】
【図１】本考案の笛付腕時計の好ましい一実施形態の正面図。
【図２】図１の実施形態の左側面図。
【図３】図１の実施形態の右側面図であって、（ａ）は笛を使用していない状態、（ｂ）は笛を使用する状態を表す図。
【図４】図１の実施形態の背面図。
【図５】図１の実施形態の平面図。
【図６】図１の実施形態の底面図。
【図７】笛体の断面を表す図。
【考案を実施するための形態】
【００１６】
以下、添付図面を参照して本考案の好ましい実施形態を説明する。
【００１７】
図１は本考案の笛付腕時計の好ましい一実施形態の正面図、図２、図３、図４、図５、図６、図７は、それぞれ、図１の左側面図、右側面図、背面図、平面図、底面図である。
【００１８】
本考案の笛付腕時計１では、腕時計本体に笛が分離不可能に取り付けられている。
【００１９】
図１〜図６の実施例では、文字盤４、時計ガラス３を備えている腕時計のケース２のリューズ５が配備されている側に対向する側に、ケース２の一側に沿って長手方向（図１中、上下方向）に延びている筒状の笛体６が配備されている。
【００２０】
笛体６は、長手方向に延びる一端側（図１中、下側の端部）に口当て部７を備えている。
【００２１】
図示の実施形態では、腕時計のケース２のリューズ５が配備されている側に対向する側に回転支持軸１０が突設されている。そして、笛体６は、その口当て部７の側に対向する他端側（すなわち、先端側８）において、図３（ｂ）に矢印２０、２１で示すように、回動可能に回転支持軸１０に取り付けられている。こうして、筒状の笛体６が腕時計のケース２の一側に取り付けられ、配備されている。
【００２２】
図１〜図６の実施例では、上述した構造により、腕時計本体に笛が分離不可能に取り付けられている笛付腕時計１が実現されている。
【００２３】
笛体の断面を表す図７図示のように、筒状の笛体６は、先端側８に対向している側の端部に口当て部７を備えており、この口当て部７の近傍に共振孔９が形成されている。
【００２４】
そこで、笛体６を使用する必要がある場合には、先端側８が腕時計のケース２の回転支持軸１０に回動自在に支持されている笛体６の口当て部７を、回転支持軸１０を支点として矢印２０（図３（ｂ））で示す方向に旋回させる。
【００２５】
そして、図３（ｂ）図示の状態で、口当て部７から息を吹き込んで鳴らすことができる。これによって、笛を使用する必要が生じた際には簡単に、かつ、確実に、笛を鳴らすことができる。
【００２６】
例えば、何らかの警報の意味で笛を鳴らす必要がある場合や、救援・救助を求める場合に自己の所在地を捜索者・捜索隊に知らせる目的などで笛を鳴らす際、笛体６は、回動自在に、常に、腕時計のケース２に取り付けられているので、本考案の笛付腕時計１を腕にはめている限り、簡単、かつ確実に笛を鳴らして捜索者・捜索隊の注意を喚起することができる。
【００２７】
こうして笛の使用が完了したならば、腕時計のケース２の回転支持軸１０に回動自在に支持されている先端側８を支点として、笛体６の口当て部７を矢印２１（図３（ｂ））で示す方向に旋回させ、図３（ａ）、図１、図２、図４、図５、図６図示の状態に戻す。
【００２８】
図２、図３（ａ）図示のように、本考案の笛付腕時計１では、筒状の笛体６の外径の大きさは、腕時計のケース２の厚みより小さくなっている。
【００２９】
そして、筒状の笛体６を回動させていない、図１、図３（ａ）等に図示の状態で、図１図示のように、共振孔９が腕時計の文字盤４の外側近傍に位置する構造になっている。
【００３０】
そこで、図１、図２、図３（ａ）、（ｂ）、図４〜図６に表されているように、本考案の笛付腕時計１は、デザイン的にも優れているものになっている。
【００３１】
以上、添付図面を参照して本考案の好ましい実施形態を説明したが、本考案はかかる実施形態に限定されるものではなく、実用新案登録請求の範囲の記載から把握される技術的範囲において種々の形態に変更可能である。
【符号の説明】
【００３２】
１  笛付腕時計
２  腕時計のケース
３  時計ガラス
４  文字盤
５  リューズ
６  笛体
７  口当て部
８  先端側
９  共振孔
１０  回転支持軸
【図１】
0003179592.tif 000003
【図２】
0003179592.tif 000004
【図３】
0003179592.tif 000005
【図４】
0003179592.tif 000006
【図５】
0003179592.tif 000007
【図６】
0003179592.tif 000008
【図７】
0003179592.tif 000009